(57)【特許請求の範囲】
【請求項１】
容器１より突出する口部２を遮蔽する開口可能な遮蔽部３と上記口部２に嵌着される嵌合外筒４と嵌合頂壁５とを少なくとも備えた中栓６と、この中栓６に螺合されるネジ蓋７とから構成され、上記嵌合外筒４と嵌合頂壁５との交差部付近に周方向の切り取りスコア８が形成された合成樹脂製の分別回収可能なキャップ１０において、上記ネジ蓋７の側面はメネジ部１１ａを有する内筒１１と把持部１２ａを有する外筒１２によって形成され、締め付け時に、上記内筒の下端面１１ｂは上記中栓の嵌合頂壁５の上面に当接し、上記外筒１２下端内側のテーパ面１２ｂは上記嵌合頂壁５外側のテーパ面５ａに環状のシール突条１３を介して当接し、上記外筒１２の下端面１２ｃは、上記嵌合外筒４の上端面４ａとは当接しないことを特徴とする分別回収可能なキャップ。
【請求項２】
内筒１１の下端面は、締め付け時に、中栓の嵌合頂壁５に環状のシール突条２０を介して当接する請求項１記載の分別回収可能なキャップ。
【発明の詳細な説明】
【０００１】
【発明の属する技術分野】
この発明は、ガラス製等の液体容器の口部に嵌着され、切り取りスコアが形成された中栓を有する分別回収可能なキャップであって、シャワー水の蓋内侵入防止機能を具備したものに関するものである。
【０００２】
【従来の技術】
図４は、例えば特開平７−６１４５４号公報で開示された合成樹脂製キャップの断面図に関するものである。
図において、１は容器、２は口部、３は遮蔽部で、薄肉状のスコア３ａとプルタブ１４を有し、スコアに沿って切り裂き引き抜き可能となっている。４は口部２に嵌着される嵌合外筒、５は口部２の上側曲面に被嵌される嵌合頂壁、１５は嵌合内筒、１６は注出し口であって、上記の嵌合外筒４，嵌合頂壁５，嵌合内筒１５，注出し口１６，遮蔽部３によって中栓６が形成される。８は上記嵌合外筒４と嵌合頂壁５との交差部付近に形成された周方向の切り取りスコアで、抜き窓１７に位置する摘持片１８の上端に接続され、さらに摘持片１８の下端は下弱化線１９に接続されている。７はネジ蓋で、メネジ部１１ａを有し中栓６に螺合し、下端面は嵌合頂壁５の外側上面に当接している。
【０００３】
【発明が解決しようとする課題】
上記合成樹脂製キャップはプルタブ１４を引き、遮蔽部３を切り裂いて抜き取り、注出し口１６より内容物を注ぐことが出来る。また、容器１を分別回収するときは、摘持片１８を摘んで引張ると切り取りスコア８と下弱化線１９に沿って切り裂き、嵌合外筒４を剥離させることが出来る。しかしながら、予めネジ蓋７を中栓６に螺合し下端を嵌合頂壁５の外側上面に当接させたキャップを、内容物を充填した容器１の口部２に打栓により装着した場合に、打栓時にスコア８が破断される場合がある。これを阻止するためには、ネジ蓋７の締め付けを緩めておく必要がある。ところが、ネジ蓋７の締め付けを緩めておくと、高温充填後シャワー冷却を行った際、ネジ蓋７内の減圧によってネジ山の空隙部を経てシャワー水が侵入し、ネジ蓋７内に残留する。水分が残留すればカビが発生することもあり、食品容器用キャップとしては不適格と判断される。
【０００４】
本発明はこれらの問題点を解決するためになされたもので、内容物を充填した容器の口部に対する打栓時に切り取りスコア８が破断するのを未然に防止し、高温充填後のシャワー冷却時におけるシャワー水の侵入を阻止することができる分別回収可能なキャップを得ることを目的とする。
【０００５】
【課題を解決するための手段】
本発明は、上記目的を達成するためになされたもので、請求項１記載の分別回収可能なキャップは、容器１より突出する口部２を遮蔽する開口可能な遮蔽部３と上記口部２に嵌着される嵌合外筒４と嵌合頂壁５とを少なくとも備えた中栓６と、この中栓６に螺合されるネジ蓋７とから構成され、上記嵌合外筒４と嵌合頂壁５との交差部付近に周方向の切り取りスコア８が形成された合成樹脂製の分別回収可能なキャップ１０において、上記ネジ蓋７の側面はメネジ部１１ａを有する内筒１１と把持部１２ａを有する外筒１２によって形成され、締め付け時に、上記内筒の下端面１１ｂは上記中栓の嵌合頂壁５の上面に当接し、上記外筒１２下端内側のテーパ面１２ｂは上記嵌合頂壁５外側のテーパ面５ａに環状のシール突条１３を介して当接し、上記外筒１２の下端面１２ｃは、上記嵌合外筒４の上端面４ａとは当接しないようになっている。
【０００６】
また、この発明に係る請求項２記載の分別回収可能なキャップは、請求項１において、内筒１１の下端面は、締め付け時に、中栓の嵌合頂壁５に環状のシール突条２０を介して当接する。
【０００７】
【発明の実施の形態】
発明の実施の形態を実施例に基づき図面を参照して説明する。図１は一部切断正面図である。図において、１は容器、２は口部、３は遮蔽部で、薄肉状のスコア３ａとプルタブ１４を有し、スコアに沿って切り裂き引き抜き可能となっている。４は口部２に嵌着される嵌合外筒、５は口部２の上側曲面に被嵌される嵌合頂壁、１５は嵌合内筒である。１６は環状の注出し口で外側にオネジ部１６ａを有し、上記の嵌合外筒４，嵌合頂壁５，嵌合内筒１５，注出し口１６，遮蔽部３、によって中栓６が形成される。８は上記嵌合外筒４と嵌合頂壁５との交差部付近に形成された周方向の切り取りスコアで、抜き窓１７に位置する摘持片１８の上端に接続され、さらに摘持片１８の下端は下弱化線１９に接続されている。
【０００８】
７はネジ蓋で、このネジ蓋７の側面はメネジ部１１ａを有する内筒１１と把持部１２ａを有する外筒１２によって形成され、締め付け時に、上記内筒の下端面１１ｂは上記中栓の嵌合頂壁５の上面に当接し、上記外筒１２の下端内側のテーパ面１２ｂは上記嵌合頂壁５外側のテーパ面５ａと環状のシール突条１３を介して当接し、上記外筒１２の下端面１２ｃは、上記嵌合外筒４の上端面４ａと微小隙間を存して対向している。なお、ネジ蓋７の天板には注出し口１６に当接する環状の当てリブ２１を垂設し、シール効果を高めている。
【０００９】
シール突条１３は前記実施例では嵌合頂壁５外側のテーパ面５ａと一体に形成されているが、図２（イ）に示すように、外筒１２下端内側のテーパ面１２ｂと一体に形成してもよい。また、図２（ロ）に示すように、シール突条１３に適合する環状のシール溝１３ａを形成すれば、外気の進入経路が曲折するので、外気の流通抵抗が増加し、遮断効果が一層向上する。
【００１０】
図３は請求項２に関する要部の断面図で、（イ）は内筒１１の下端面に環状のシール突条２０を一体に形成した実施例図、（ロ）は中栓の嵌合頂壁５の上面にシール突条２０を一体に形成した実施例図、（ハ）は内筒１１の下端面に環状のシール突条２０に適合する環状のシール溝２０ａを一体に形成した実施例図である。これらのものは、図１に示すものに付加することによりシール効果を一層高めることが出来る。
このシール突条は、ポリエチレン，ポリプロピレン等の合成樹脂の射出成型により、一体に形成されるから弾力を有し、先端の先鋭部の接触面積が小さいため接圧力を高め、弾性的に変形し、パッキンのようなシール効果を発揮することが出来る。
【００１１】
次に本発明の作用効果について説明する。
液体食品調味料の充填ラインにおいては、予めネジ蓋を中栓に締め付けたキャップを、内容物を充填した容器の口部に打栓により装着する。このとき、ネジ蓋の外筒の下端面１２ｃは、上記嵌合外筒４の上端面４ａとは当接しないので、切り取りスコア８が破断することがない。しかも、上記外筒１２下端内側のテーパ面１２ｂは上記嵌合頂壁５外側のテーパ面５ａに環状のシール突条１３を介して当接しているから高温充填後のシャワー冷却時にネジ蓋７内の減圧によってシャワー水が侵入してネジ蓋７内に残留することもない。
【００１２】
また、請求項２の発明では、内筒１１の下端面は、締め付け時に、中栓の嵌合頂壁に環状のシール突条２０を介して当接しているので、万一環状のシール突条１３が変形しシャワー冷却時にネジ蓋７内の減圧によってシャワー水が侵入したとしても、内筒１１の下端面において、食い止め、ネジ部を通って水がネジ蓋７の内部に侵入するのを確実に阻止することが出来る。
【００１３】
【発明の効果】
本発明は、以上説明したように構成されているので、以下に記載されるような効果を奏する。
【００１４】
本発明の請求項１記載の分別回収可能なキャップは、締め付け時に、メネジ部１１ａを有する内筒の下端面１１ｂは中栓の嵌合頂壁５の上面に当接し、外筒１２の下端面１２ｃは、上記嵌合外筒４の上端面４ａとは当接しないことにより、ネジ蓋７の押し下げ力を嵌合頂壁５の上面で受けることになり、打栓時に切り取りスコア８が破断することがない。
【００１５】
また、締め付け時に、上記外筒１２下端内側のテーパ面１２ｂは上記嵌合頂壁５外側のテーパ面５ａに環状のシール突条１３を介して当接したことにより、高温充填後のシャワー冷却時にネジ蓋７内の減圧によってシャワー水が侵入してネジ蓋７内に残留することはないのでカビが発生することがなく、食品容器用キャップの信頼性を向上することが出来る。
【００１６】
本発明の請求項２記載の分別回収可能なキャップは、上記の効果に加え、万一環状のシール突条１３が変形しシャワー冷却時にネジ蓋７内の減圧によってシャワー水が侵入するようなことがあったとしても、内筒１１の下端面において、食い止め、ネジ部を通って水が侵入するのを確実に阻止することが出来る。
【図面の簡単な説明】
【図１】請求項１の発明に関する分別回収可能なキャップの一部切断正面図である。
【図２】突条１３の実施例を示す断面図である。
【図３】請求項２の発明に関する要部の実施例を示す断面図である。
【図４】従来の分別回収可能なキャップの一部切断正面図である。
【符号の説明】
１      容器
２      口部
３      遮蔽部
３ａ      スコア
４      嵌合外筒
４ａ    上端面
５      嵌合頂壁
６      中栓
７      ネジ蓋
８      切り取りスコア
１０    キャップ
１１ａ    メネジ部
１１ｂ  下端面
１２    外筒
１２ａ  把持部
１３    シール突条
１３ａ  シール溝
１４    プルタブ
１５    嵌合内筒
１６    注出し口
１６ａ  オネジ部
１７    抜き窓
１８    摘持片
１９    下弱化線
２０    シール突条
２０ａ  シール溝
２１    当てリブ
【図１】
0004214435.tif 000002
【図２】
0004214435.tif 000003
【図３】
0004214435.tif 000004
【図４】
0004214435.tif 000005